(57)【要約】互いに平行に配置された各画像の複数の連続する画像細長片（６８Ａ〜Ｄ）を有する画像グリッド（１１）と、複数の平行な窓細長片（６４Ａ）を有するマスクグリッド（９）からなり、他の画像細長片が隠されている間に、窓細長片（６４Ａ）を通して幾つかの画像細長片（６８Ａ〜Ｄ）が見られ、画像グリッド（１１）とマスクグリッド（９）の間の相対的な移動によって異なる画像が観察され、両グリッドは、画像グリッド（１１）の画像細長片（６８Ａ〜Ｄ）とマスクグリッド（９）の窓細長片（６４Ａ）とを互いに平行に整列させるためのグリッド整列手段（６０Ａ，６６）と、画像グリッド（１１）とマスクグリッド（９）とがグリッド整列手段（６０Ａ，６６）を用いて互いに平行に整列させられた後、画像グリッド（１１）とマスクグリッド（９）が互いに相対的に動かされたときに、画像グリッド（１１）の種々の画像を、マスクグリッド（９）の窓細長片（６４Ａ）と位置決めするためのグリッド位置決め手段（６０Ａ，６１Ａ〜Ｄ，６２Ａ〜Ｃ）とを含む画像表示装置。
2004508590.tif 000002
【特許請求の範囲】
【請求項１】
互いに平行に配置された、各画像の複数の連続する画像細長片を有する画像グリッドと、複数の平行な窓細長片を有するマスクグリッドとを含んでなり、他の上記画像細長片が覆い隠されている間に、上記窓細長片を通して幾つかの上記画像細長片が見られ、上記画像グリッドと上記マスクグリッドとの間の相対的な移動によって異なる画像が観察され、上記画像グリッドと上記マスクグリッドは、上記画像グリッドの上記画像細長片と上記マスクグリッドの上記窓細長片とを互いに実質的に平行な関係に整列させるためのグリッド整列手段と、上記画像グリッドと上記マスクグリッドとが上記グリッド整列手段を用いて互いに実質的に平行な関係に整列させられた後に、上記画像グリッドと上記マスクグリッドとが互いに相対的に動かされたときに、上記画像グリッドの種々の画像を、上記マスクグリッドの上記窓細長片と位置決めするためのグリッド位置決め手段とを含んでなることを特徴とする画像表示装置。
【請求項２】
上記グリッド整列手段は、上記画像グリッドと上記マスクグリッドのそれぞれの両端部に配置された目印を含んでなることを特徴とする請求項１に記載の画像表示装置。
【請求項３】
上記グリッド整列手段は、上記画像グリッドと上記マスクグリッドとに目印を有し、上記目印によって、上記画像グリッドと上記マスクグリッドの端部の第１の領域を通る光の透過量が、上記画像グリッドと上記マスクグリッドの間の相対的な運動と共に変化することを特徴とする請求項１または２に記載の画像表示装置。
【請求項４】
上記第１の領域を通る光の透過量が、上記画像グリッドと上記マスクグリッドとが互いに相対的に動かされたときの上記第１の領域を通る光の透過量の最大値と最小値との差の実質的に半分である時に、整列が達成されることを特徴とする請求項３に記載の画像表示装置。
【請求項５】
上記グリッド整列手段は、一方のグリッドにおける透明な窓スリットと、他方のグリッドの不透明領域と透明領域との間の境界線とを含んでなることを特徴とする請求項１〜４のいずれか１つに記載の画像表示装置。
【請求項６】
上記グリッド位置決め手段は、上記画像グリッドと上記マスクグリッドのそれぞれの両端部に配置された目印を含んでなることを特徴とする請求項１〜５のいずれか１つに記載の画像表示装置。
【請求項７】
上記グリッド位置決め手段は、上記画像グリッドと上記マスクグリッドとに目印を有し、上記目印によって、上記画像グリッドと上記マスクグリッドの端部の第２の領域を通る光の透過量が、上記画像グリッドと上記マスクグリッドの間の相対的な運動と共に変化することを特徴とする請求項５または６に記載の画像表示装置。
【請求項８】
上記第２の領域を通る光の透過量が、上記画像グリッドと上記マスクグリッドとが互いに相対的に動かされたときの上記第２の領域を通る光の透過量の最大値と最小値との差の実質的に半分である時に、位置決めが達成されることを特徴とする請求項７に記載の画像表示装置。
【請求項９】
上記グリッド位置決め手段は、一方のグリッドにおける透明な窓スリットと、他方のグリッドの不透明領域と透明領域との間の境界線とを含んでなることを特徴とする請求項１〜８のいずれか１つに記載の画像表示装置。
【請求項１０】
上記グリッド位置決め手段は、上記画像グリッドと上記マスクグリッドとの間の複数の相対位置のうちの実行されるべき上記画像グリッドと上記マスクグリッドとの位置決めを可能にし、上記位置決めによって、個々の画像が上記画像の間に運転休止時間を挟んで見られることを特徴とする請求項１〜９のいずれか１つに記載の画像表示装置。
【請求項１１】
上記画像グリッドと上記マスクグリッドの一方のグリッドは透明な窓スリットを有し、他方のグリッドは透明な領域と不透明な領域の間の複数の境界線を有し、上記透明な窓スリットと上記境界線とによって、上記画像グリッドと上記マスクグリッドとの間に、複数の相対位置が実現されることを特徴とする請求項１０に記載の画像表示装置。
【請求項１２】
個々の画像の上記画像細長片は、不透明な細長片と、視覚情報を含有する細長片と、透明な細長片とから選択されることを特徴とする請求項１〜１１のいずれか１つに記載の画像表示装置。
【請求項１３】
上記マスクグリッドの上記窓細長片は、上記画像グリッドの上記画像細長片よりも幅が狭いことを特徴とする請求項１〜１２のいずれか１つに記載の画像表示装置。
【請求項１４】
上記マスクグリッドの上記窓細長片の幅は、上記画像グリッドの上記画像細長片の幅と実質的に等しいことを特徴とする請求項１〜１２のいずれか１つに記載の画像表示装置。
【請求項１５】
各上記画像細長片が、複数の画像細長片を含むことを特徴とする請求項１〜１４のいずれか１つに記載の画像表示装置。
【請求項１６】
上記グリッド位置決め手段は、一連の上記画像細長片の表示を容易にし、それにより動画表示が得られることを特徴とする請求項１〜１５のいずれか１つに記載の画像表示装置。
【請求項１７】
添付図面を参照してここに実質上記載された画像表示装置。
【請求項１８】
請求項１〜１７のいずれか１つに記載の画像表示装置を使用して動画表示を作り出す方法であって、１組の上記画像細長片と、次ぎの組の上記画像細長片との間に運転休止時間をとらないで両グリッドを互いに相対的に動かすことからなる、動画表示を作り出す方法。
【請求項１９】
添付図面を参照してここに実質上記載された動画表示を作り出す方法。
【発明の詳細な説明】
【０００１】
本発明は、画像表示装置に関し、より詳細には、互いに平行に配置された各画像の複数の連続する細長片を有する画像グリッドと、複数の平行な窓細長片を有するマスクグリッドとからなる画像表示装置に関する。窓細長片を通して幾つかの画像細長片が見られるが、他の画像細長片は覆い隠され、画像グリッドとマスクグリッドとの間の相対的な移動によって異なる画像が観察される。
【０００２】
特定の場所に、例えばポスターのような１つ以上の画像を表示することができることがしばしば望まれており、このような要望を実現するための沢山の提案が従来からなされてきている。このような提案の多くは、並置された各画像の細長片からなる画像グリッドと、複数の透明細長片を有する不透明なマスクグリッドとを用いている。マスクグリッドの中の透明細長片が、画像グリッド上の特定のポスターの隣接する細長片の間の繰り返し間隔と等しい間隔だけ離れて配置されると、マスクグリッドと画像グリッドとが適当に並べられた時には、マスクグリッドの透明細長片を通して特定のポスターを見ることができる。
【０００３】
文献ＷＯ９７／２６６４２には、このような装置が記載されている。画像グリッドの細長片とマスクグリッドの細長片は、駆動機構自身によって互いに概ね平行に保持され、画像グリッドにおける分離した画像のそれぞれに対して、透明細長片が順々に一致してマスクグリッド上の細長片が保持されるように、画像グリッドとマスクグリッドとの間の相対的運動を生じさせるために、カム及びカム従動子装置が用いられている。装置に新しい画像グリッドが挿入された時に、画像グリッドとマスクグリッドとの間の初期相対位置を手動でセットするために、ネジ調整部品が用いられ、これはオペレータによって最初の表示位置を設定するために使用される。画像グリッドとマスクグリッドの細長片との以後の位置決めは、駆動機構の機械的精度と、画像グリッドとマスクグリッドの印刷精度と、マスクグリッドにおける透明細長片の幅に許容される公差とに依存する。
【０００４】
またこの文献は、画像グリッドとマスクグリッドとの間の相対的な歩進運動を引き起こすために用いられるカム及びカム従動子装置の代替として、１または複数のステッピングモータを使用することを提案している。ステッピングモータは、ネジ付きロッドを回転させることによって、可動グリッドを移動させ、該ネジ付きロッドには、ネジを通し、回転しないようにグリッドに固定された取付具が取り付けられている。画像グリッドとマスクグリッドの正確な初期位置を設定するための手動調整装置が設けられている。手動調整装置の代替として自動調整装置が提案されている。自動調整装置においては、画像グリッドとマスクグリッドは、電子制御ユニットの制御の下に、適当な原動機と光検知装置とによって、極めて微細に調整される。光検知装置は、それぞれのグリッド上の２つの所定の領域の位置決め状態を検出するために採用されている。さらに、画像グリッドとマスクグリッドを要求される初期位置へ導くために、画像グリッドとマスクグリッドの位置を、光検知装置からの入力信号に応じて、電子制御ユニットによって調整することが可能であることが提案されている。この調整は、例えば画像グリッド上の連続する画像を表示するために両グリッドを順次並べるために使用されるステッピングモータを使用して行なわれる。
【０００５】
文献ＷＯ９８／４１９６７には、画像グリッドの個々の画像細長片とマスクグリッドとの間の位置決めの方法を加えた、類似の表示装置が記載されている。この文献においては、位置決めは、マスクグリッドの２つの隣接する不透明細長片の間に位置する１つの透明窓の両外端部の幅を減少し、また、画像グリッドの隣接する２つの画像細長片の端部の中央に配置された透明部分を除いて両端部を不透明にすることによって、対応するこれらの端部の有効幅を減少することによって達成される。マスクグリッドの窓細長片と画像グリッドの各画像との位置決めは、両グリッドの狭い窓を通過する光を検出するフォトセルを使用して実行することができる。これは、装置の通常の運用中における画像グリッドとマスクグリッドの上下運動の制御、例えば、グリッド間の相対運動と、駆動機構における遊びやグリッドの微小な寸法誤差を補償するために引き続く画像の間にとられるステップ数を生じるために用いられる、線形駆動機構の制御のために用いられる。
【０００６】
更にこの後者の先行技術文献には、フォトセルの装置を使用して画像グリッドとマスクグリッドの対向する端部から決定される位置情報を、画像グリッドのマスクグリッドとの垂直方向及び水平方向の位置決めの実行に用いることが提案されている。これによって、画像細長片が窓細長片に確実に平行になされる。
【０００７】
これらの先行技術文献に提案された位置決め装置は、画像グリッドの個々の画像を形成する細長片とマスクグリッドの窓細長片との間の位置決めを可能にする。しかしながら、これらの先行技術文献に記載されたタイプの表示装置の画像グリッドとマスクグリッドとの間の位置決めの改良を求める要求がある。
【０００８】
本発明によれば、互いに平行に配置された、各画像の複数の連続する画像細長片を有する画像グリッドと、複数の平行な窓細長片を有するマスクグリッドとを含んでなり、他の上記画像細長片が覆い隠されている間に、上記窓細長片を通して幾つかの上記画像細長片が見られ、上記画像グリッドと上記マスクグリッドとの間の相対的な移動によって異なる画像が観察され、上記画像グリッドと上記マスクグリッドは、上記画像グリッドの上記画像細長片と上記マスクグリッドの上記窓細長片とを互いに実質的に平行な関係に整列させるためのグリッド整列手段と、上記画像グリッドと上記マスクグリッドとが上記グリッド整列手段を用いて互いに実質的に平行な関係に整列させられた後に、上記画像グリッドと上記マスクグリッドとが互いに相対的に動かされたときに、上記画像グリッドの種々の画像を、上記マスクグリッドの上記窓細長片と位置決めするためのグリッド位置決め手段とを含んでなる画像表示装置が提供される。
【０００９】
本発明による画像表示装置は、画像グリッドの画像細長片とマスクグリッドの窓細長片との間の高度の整列を達成することができ、それにより、マスクグリッドの単一の窓細長片によって１つ以上の画像細長片が露出されるという問題を回避しながら、従来よりも画像細長片の幅に対する比率が大きな幅を有するマスクグリッドの窓細長片を可能にする。その結果、表示装置をより多くの量の光を通過させることができ、表示装置をより高輝度にしたり、太陽光のような高輝度周辺光の中でも鮮明に見ることができるようにすることが可能になる。更に、マスクグリッドの中の黒線がより狭くなり、これにより、特に良好な解像度と、画像グリッド上の詳細が見られるように改良された可視性を有する画像が提供される。
【００１０】
望ましくは、上記グリッド整列手段は、上記画像グリッドと上記マスクグリッドのそれぞれの両端部に配置された目印を含んでなり、更に望ましくは、上記グリッド整列手段は、上記画像グリッドと上記マスクグリッドとに目印を有し、上記目印によって、上記画像グリッドと上記マスクグリッドの端部の第１の領域を通る光の透過量が、上記画像グリッドと上記マスクグリッドの間の相対的な運動と共に変化する。
【００１１】
例えば、一方のグリッドにおける透明な窓スリットと、上記画像グリッドと上記マスクグリッドとの間の相対運動につれて上記窓スリットの上を通過する、他方のグリッドの不透明領域と透明領域との間の境界線とを用いて、上記第１の領域を通る光の透過量が、上記画像グリッドと上記マスクグリッドとが互いに相対的に動かされたときの上記第１の領域を通る光の透過量の最大値と最小値との差の実質的に半分である時に、整列が達成されることが、特に望ましい。
【００１２】
望ましくは、上記グリッド位置決め手段は、上記画像グリッドと上記マスクグリッドのそれぞれの両端部に配置された目印を含んでなり、更に望ましくは、上記グリッド位置決め手段は、上記画像グリッドと上記マスクグリッドとに目印を有し、上記目印によって、上記画像グリッドと上記マスクグリッドの端部の第２の領域を通る光の透過量が、上記画像グリッドと上記マスクグリッドの間の相対的な運動と共に変化する。
【００１３】
望ましくは、上記第２の領域を通る光の透過量が、上記画像グリッドと上記マスクグリッドとが互いに相対的に動かされたときの上記第２の領域を通る光の透過量の最大値と最小値との差の実質的に半分である時に、位置決めが達成される。
【００１４】
望ましくは、上記グリッド位置決め手段は、一方のグリッドにおける透明な窓スリットと、他方のグリッドの不透明領域と透明領域との間の境界線とを含んでなる。
【００１５】
より望ましくは、上記グリッド位置決め手段は、上記画像グリッドと上記マスクグリッドとの間の複数の相対位置のうちの実行されるべき上記画像グリッドと上記マスクグリッドとの位置決めを可能にし、上記位置決めによって、個々の画像が上記画像の間に選択的な運転休止時間を挟んで見られる。
【００１６】
望ましくは、上記画像グリッドと上記マスクグリッドの一方のグリッドは透明な窓スリットを有し、他方のグリッドは透明な領域と不透明な領域の間の複数の境界線を有し、上記透明な窓スリットと上記境界線とによって、上記境界線が上記透明な窓スリットを通過するときに、上記画像グリッドと上記マスクグリッドとの間に、複数の相対位置が実現される。
【００１７】
個々の画像の上記画像細長片は、不透明な細長片と、視覚情報を含有する細長片と、透明な細長片とから選択される。
【００１８】
望ましくは、上記マスクグリッドの上記窓細長片は、上記画像グリッドの上記画像細長片よりも幅を狭くし、これにより、画像表示装置に単一の画像を表示することが望まれているときに１つ以上の画像の部分が表示される可能性を減少する。しかしながら、例えば動画を実現ために、上記マスクグリッドの上記窓細長片の幅は、上記画像グリッドの上記画像細長片の幅と実質的に等しくすることが望ましい場合があり得る。同様な効果は、上記画像グリッドの上記画像細長片の幅に比して、上記マスクグリッドの上記窓細長片の幅を広くすることによって達成することができ、これも動画効果を実現するのに有用である。
【００１９】
ある場合には、本発明による画像表示装置の各画像細長片が、複数の画像細長片を含むことが望ましく、これは、動画の効果を実現するのに役に立つ。
【００２０】
望ましくは、上記グリッド位置決め手段は、一連の上記画像細長片の表示を容易にするようになされ、例えば、位置決めのための隣接する位置を、上記画像細長片の各幅よりも大きい、上記画像グリッドと、上記画像マスクグリッドとの間に置き換えることによって、動画表示が得られる。
【００２１】
本発明による画像表示装置の実施の形態を、添付図面を参照して説明する。
【００２２】
図１は、一対の画像グリッドとマスクグリッドの詳細を示す図である。
【００２３】
図２は、光源と検知器との間における、図１の画像グリッドとマスクグリッドを示す図である。
【００２４】
図３は、画像グリッドとマスクグリッドとが互いに相対的に移動された時の検知器からの出力を示す図である。
【００２５】
図１には、マスクグリッド９と画像グリッド１１の対向する端部が互いに重ねられて示されている。画像グリッド１１の端部の詳細がマスクグリッド９によって覆い隠されることなく見られるように、マスクグリッド９と画像グリッド１１の一部は切り取られ、使用時のそれらの位置から横にずらされている。
【００２６】
画像グリッド１１は、その幅の方向にわたって、４画像Ａ〜Ｄからなる平行な画像細長片６８Ａ〜Ｄの複数のセットを有する。マスクグリッド９は、マスクグリッド９のマスク細長片６９の間に、複数の水平方向の透明な窓細長片６４Ａを有する。ある時間に窓細長片６４Ａを通して見られる画像細長片が、ただ１つの画像のみに対応するように、透明な窓細長片６４Ａの幅は、画像細長片６８Ａ〜Ｄの幅よりも狭く、例えば画像細長片６８Ａ〜Ｄの幅の１／２になされている。画像グリッド１１をマスクグリッド９に相対的に適当に位置決めすることにより、マスクグリッド９内の窓細長片６４Ａを通して、画像グリッド１１上の４画像Ａ〜Ｄのそれぞれを見ることがが可能となる。画像グリッド１１のマスクグリッド９に相対的な位置決めは、例えば、文献ＷＯ９８／４１９６７に記載されているようなステッピングモータを用いることによって実行される。
【００２７】
画像グリッド１１の２つの外端部４３は、上部の水平で透明な窓スリット６０Ａと下部の水平で透明な窓スリット６０Ｂとを除いて不透明である。画像グリッド１１の対向する両端部における上部の２つの窓スリット６０Ａは、互いに一直線上にあり、同様に下部の２つの窓スリット６０Ｂも互いに一直線上にある。
【００２８】
窓スリット６０Ａは、画像細長片の１つの中心線と一致する中心線を有する。窓スリット６０Ｂは、２つの隣接する画像細長片の間の線と一致する中心線を有する。窓スリット６０Ａと窓スリット６０Ｂの幅は同一で、画像細長片６８Ａ〜Ｄの幅の半分である。
【００２９】
マスクグリッド９上のマスク細長片６９に加えて、マスクグリッド９の両外端部５５は、３つの不透明細長片６２Ａ〜Ｃによって分離された４つの透明な窓スリット６１Ａ〜Ｄと、幅広透明窓部６５を有することを除いて、不透明である。
【００３０】
窓スリット６１Ａ〜Ｄの幅と、窓スリット６１Ａ〜Ｄの間にある不透明細長片６２Ａ〜Ｃの幅は、互いに同一で、画像細長片６８Ａ〜Ｄの幅に等しい。不透明細長片６２Ｂの下端６３Ｄは、後に説明する理由のために、水平な窓細長片６４Ａの１つの中心に位置決めされて図１に示されている。マスクグリッド９上の不透明な外端部５５の中の幅広透明窓部６５の下端６６は、同じく後に説明する理由のために、画像細長片６８Ａ〜Ｄの１つの中心に位置決めされている。
【００３１】
図１をより詳細に参照すると、マスクグリッド９は、不透明細長片６２Ｂの下端６３Ｄを、画像グリッド１１の不透明な外端部４３内の窓スリット６０Ａの中心線上に置いて、画像グリッド１１に対して相対的に位置決めされていることが分かる。このことを示すために、マスクグリッド９と画像グリッド１１は、互いに対して横にずらされている。マスクグリッド９と画像グリッド１１の、横にずらされていることを除いたこの位置を、以後、変位サイクルの中間点と呼ぶ。変位サイクルの中間点においては、マスクグリッド９の中の水平な窓細長片６４Ａによって示される画像は、複数の画像細長片６８Ｂから形成された画像Ｂである。
【００３２】
図に示されたマスクグリッド９と画像グリッド１１の全変位サイクルは、マスクグリッド９の画像グリッド１１に相対的な４つの増分的上方向移動と４つの増分的下方向移動とからなる。これらの移動量のそれぞれは全て、窓スリット６１Ａ〜Ｄ及びマスクグリッド９の不透明細長片６２Ａ〜Ｃの幅、従って、これらの幅は全て等しいので、画像細長片６８Ａ〜Ｄの幅に等しい距離である。その速度がグリッドが用いられる表示装置に応じて変更可能な、変位サイクルにおける各増分的移動の間に、マスクグリッド９と画像グリッド１１との間の相対移動は通常停止される。これは、各画像が、次の画像へ移動する前にある時間の間見られるようにするためである。マスクグリッド９と画像グリッド１１との間の相対移動が停止される時間は、運転休止時間とも呼ばれる。運転休止時間の間は、マスクグリッド９における窓細長片６４Ａは、画像Ａ〜Ｄを順次表示するために、画像グリッド１１上の画像細長片６８Ａ〜Ｄの中心に位置決めされる。マスクグリッド９は、変位サイクルの中間点から持ち上げられ、次いで、再度変位サイクルの中間点を通過した後に変位サイクルの頂点へ戻される前に、変位サイクルの底点へ下げられる。
【００３３】
よく分かるように、マスクグリッド９を画像グリッド１１に相対的に正確に移動させるためには、マスクグリッド９を移動させるために使用される駆動機構に対する正確な制御が必要である。この、マスクグリッド９を移動させるために使用される駆動機構に対する正確な制御は、以下に図２を参照して説明するように、マスクグリッド９と画像グリッド１１における種々のスリットと窓を用いて実行することが可能である。
【００３４】
図２は、画像グリッド１１に接し、図１に示された相対位置における、マスクグリッド９の側断面図である。図に示すように、不透明細長片６２Ｂと窓スリット６１Ｂとの間の線６３Ｄは、上部の窓スリット６０Ａの中心線と一致している。
【００３５】
また図２には、上部の窓スリット６０Ａに対向して配置された上部の発光ダイオード（ＬＥＤ）７１と、下部の窓スリット６０Ｂに対向して配置された下部のＬＥＤ７２と、上部の窓スリット６０Ａに対向する上部のフォトセル７３と、下部の窓スリット６０Ｂに対向する下部のフォトセル７４と、各ＬＥＤ７１、７２とそれらに対応するフォトセル７３、７４との間に配置されたマスクグリッド９と画像グリッド１１とが示されている。ＬＥＤとフォトセルの相補的なセット（図示しない）が、マスクグリッド９と画像グリッド１１の他の端部に関して同様に配置され、以下に説明するように、マスクグリッド９の両端部が同時にモニターできるようになされている。
【００３６】
マスクグリッド９の画像グリッド１１に相対的な運動は、フォトセル７３によって受けられるＬＥＤ７１からの光の量の変化をもたらし、これらの変化量は、マスクグリッド９を画像グリッド１１に相対的に移動させるために用いられる駆動機構の制御に使用される。この結果、マスクグリッド９の運動を、それ自身の運動を制御するために用いることができる。
【００３７】
個々の画像細長片６８Ａ〜Ｄが、画像サイクルの間、マスクグリッド９の窓細長片６４Ａ内に正確に位置付けられることを確実にすることが重要である。より詳細には、どの１つの窓細長片６４Ａ内にも、１つの画像細長片のみが現われることを確実にすることが重要である。
【００３８】
画像グリッド１１に相対的なマスクグリッド９の正確な初期位置決めは、フォトセル７４からと、両グリッドの他端におけるそのパートナー（図示しない）からの出力を用いて実施される。フォトセル７４とそのパートナーは、それぞれＬＥＤ７２とそのパートナーからの光を受信する。正確な位置決めは、それぞれのフォトセルからの出力が、幅広透明窓部６５が光が窓スリット６０Ｂを完全に通過することを許容するときに得られる最大値の半分になったときに決定される。
【００３９】
両グリッドが互いに相対的に動かされたときに、それぞれのフォトセルによって検出されるＬＥＤからの光の最大値の半分を表すものとしてとられるフォトセルからの出力は、例えば両グリッドの移動間における最大出力を用いて計算された最大値の半分としてもよいし、あるいは予め定められた値としてもよい。前者の方法は、フォトセル及びＬＥＤの特性の変化と、窓細長片の光通過特性を減少させる可能性がある埃のような、使用間におけるその他の変化とを、自動的に補償するという利点を有する。一方、後者の方法は、構成が比較的安価であるという利点を有する。
【００４０】
この両グリッドの初期位置決めは、画像表示装置のスイッチが初めて入れられるとき、または両グリッドの１つまたは両方が取り替えられるときに実行される必要がある。いずれの場合も、画像表示装置のスイッチを入れた際に、フォトセル７４とそのパートナー（図示しない）の一方または両方が、窓スリット６０Ｂが不透明な外端部５５によって覆い隠されないときに観察される最大値の半分ではないレベルの光を関連するＬＥＤからの検出したときには、制御ユニット８０は、画像表示装置のステッピングモータのそれぞれへ、フォトセル７４とそのパートナーによって検出された光のレベルが共に最大値の半分になるまで、マスクグリッド９の一方または両方の側を上昇または降下させる信号を送る。
【００４１】
フォトセル７４とそのパートナーによって検出された光のレベルが共に最大値の半分になったときには、不透明な外端部５５と幅広透明窓部６５の境界６６は、下部の窓スリット６０Ｂの中心線上に位置し、そこで画像サイクルをスタートさせることができる。
【００４２】
一旦画像細長片６８Ａ〜Ｄが窓細長片６４Ａに整列されると、マスクグリッド９についての駆動機構の制御は、上部のフォトセル７３とそのパートナー（図示しない）からの出力へ移行されるので、下部の窓スリット６０Ｂの上部の窓スリット６０Ａに相対的な位置は重要である。このようにして、不透明な外端部５５と幅広透明窓部６５の境界６６が、下部の窓スリット６０Ｂの中間に位置付けられると、それぞれのグリッド上におけるそれらの相対的な位置のために、不透明細長片６２Ｂは上部の窓スリット６０Ａを完全に覆い隠す。
【００４３】
次いで、制御ユニット８０の適当なプログラミングによって、マスクグリッド９の両側は、下部の窓スリット６０Ｂと境界６６とによってセットされた位置から、上部のフォトセル７３とそのパートナーからの出力が、共に、上部の窓スリット６０Ａがマスクグリッド９の不透明細長片６２Ａ〜Ｃによって覆い隠されていないときに検出された最大値の半分になるまで、関連するステッピングモータによって上方へ同じ距離だけ動かされる。このとき、マスクグリッド９の窓細長片６４Ａは、画像グリッド１１の画像細長片６８Ｂと一致し、従って画像Ｂが表示される。そこで、駆動機構が再始動され、マスクグリッド９が再度上方へ動かされる前に、運転休止時間がとられる。
【００４４】
前と同一の方向に駆動機構を再始動すると、最初は、窓スリット６１Ｂによって、ＬＥＤ７１から増加した量の光がフォトセル７３へ到達するようにされ、次いで、フォトセル７３の出力が最大値の半分になる点まで、減少した量の光がフォトセル７３へ到達するようになる。これによって、制御ユニット８０は、窓スリット６１Ｂと不透明細長片６２Ａとの間の境界端６３Ｅを窓スリット６０Ａの中心線に一致させた状態で、駆動機構を停止させる信号を、制御線８１を通して送信するようになされる。そこで、画像細長片６８Ｃがマスクグリッドにおける窓細長片６４Ａの下で中心に位置づけられ、運転休止時間の間、画像Ｃが表示される。
【００４５】
更に前と同一の方向にマスクグリッド９を動かすと、ＬＥＤ７１からフォトセル７３へ到達する光は、不透明細長片６２Ａが窓スリット６０Ａを覆うので、最初は漸進的に暗くされ、次いで、窓スリット６１Ａが窓スリット６０Ａに到ると、窓スリット６０Ａを光が通過するようになる。窓スリット６０Ａを通過する光が最大値の半分になると、すなわち、窓スリット６１Ａと不透明細長片６２Ａとの間の境界６３Ｆが窓スリット６０Ａの中間に位置すると、制御ユニット８０はステッピングモータを停止する。そこで、画像細長片６８Ｄがマスクグリッドにおける窓細長片６４Ａの下で中心に位置づけられ、運転休止時間の間、画像Ｄが表示される。
【００４６】
この画像サイクルは、変位サイクルの中間点からスタートしたので、マスクグリッド９の移動方向は、適当な運転休止時間後に逆転される。このようにして、例示された画像表示装置についての４サイクルが画像Ｄから始められ、次いで画像Ｃ、Ｂ、Ａが順番に表示され、最終的に画像Ｄに到達する。マスクグリッド９の移動方向は再度変更され、表示される画像は、方向変更時の画像Ｄから、Ａ、Ｂ、Ｃを通ってＤへ戻って連続し、ここからサイクルが連続して繰り返される。
【００４７】
上記の画像サイクルの過程の開始時に、マスクグリッド９と画像グリッド１１との相互間の正確な位置決めがないと、誤ったグリッドの位置決めが、制御ユニット８０に画像の不正確な順序や、あるいは画像細長片とマスクグリッド９の窓細長片との不揃いを生じさせることが理解されるであろう。更に、誤ったグリッドの位置決めは、例えば、ステッピングモータが意図された機械的限界を越えて動作した結果、マスクグリッドが通常よりも高いか低い位置から、繰り返して変位サイクルを開始させられると、画像を表示する装置に、機械的な損傷さえもたらしえる。
【００４８】
マスクグリッド９の画像グリッド１１に相対的な運動によって生じる、フォトセル７３（及びそのパートナー）からの出力における変化を、図３にグラフで示す。フォトセルからの出力は、マスクグリッド９に相対的な窓スリット６０Ａの中心線の位置の関数として示されている。
【００４９】
変位サイクルの中間点からスタートして、６３Ｄが窓スリット６０Ａの中心線上に置かれ、画像Ｂが表示され、フォトセル７３とそのパートナーからの出力は最大値の５０％である。
【００５０】
線６３Ｅの方向へのマスクグリッド９の画像グリッド１１に相対的な上方向への運動によって、最初は一定の最大値まで増加し、この一定の最大値はマスクグリッド９が運動を継続する間持続され、次いで、線６３Ｅが窓スリット６０Ａの中心線と一致し、画像Ｃが表示されるまで減少する出力がもたらされる。そこで、運転休止時間がとられる。更にマスクグリッド９が上方向への運動すると、一定時間持続する最小値まで出力は漸進的に減少され、次いで、線６３Ｆが窓スリット６０Ａの中心線と一致するまで増加する出力がもたらされる。そこで、画像Ｄが運転休止時間の間表示される。
【００５１】
マスクグリッド９の画像グリッド１１に相対的な運動の方向が反転されると、窓スリット６１Ｂ、６１Ｃ、及び不透明細長片６２Ａ、６２Ｂが、窓スリット６０Ａ上を通過するにつれて、フォトセル７３とそのパートナーからの出力に、図３に示すように減少、増加する出力がもたらされる。フォトセルからの出力が最大値の５０％になったときに表示される画像と、それらの画像が表示される順序も図３に示されている。フォトセルからの出力が最大値の５０％になったときの個々の画像を表示するために運転休止時間がとられる。
【００５２】
図３から分かるように、フォトセル７３の出力の最大値及び最小値は、マスクグリッドと画像グリッドとの間の相対運動が実行される時間のかなりの部分の間ともに持続する。これは、窓スリット６０Ａの幅、例えば０．２ｍｍが、窓スリット６１Ａ〜Ｄ及び不透明細長片６２Ａ〜Ｃの幅、例えば０．４ｍｍの１／２であることによる。
【００５３】
上述の画像サイクルの間に、境界６６が下部の窓スリット６０Ｂを通過する。このことは、画像グリッド１１の画像細長片６８Ａ〜Ｄと、マスクグリッド９の窓細長片６４Ａとの間の平行関係をチェックし、要すれば、これらの細長片を平行関係へ戻すための適当な信号を、制御ユニット８０からステッピングモータヘ送ることによって、平行関係を調整するために使用することができる。これは、一般に、両グリッドを変位サイクルの中間点へ戻すために使用される。両グリッドを変位サイクルの中間点へ戻すことによって、窓スリット６０Ａは、関連する画像細長片６８Ａ〜Ｄ及び不透明細長片６２Ａ〜Ｃと正確に整列されるからである。このことは、例えば、画像グリッドとマスクグリッドが搭載された表示装置の物理的な振動によって引き起こされる両グリッド間の整列の乱れの修正を可能にするので、特に有利である。
【００５４】
理解されるように、画像グリッドを静止させ、マスクグリッドを動かす代わりに、マスクグリッドを静止させ、画像グリッドを駆動機構によって動かしてもよい。同じく理解されるように、窓スリット６０Ａ及び６０Ｂは、画像グリッドにではなくてマスクグリッドにあってもよい。更に、窓スリット６０Ａと６０Ｂは、同じグリッドになくてもよい。
【００５５】
本発明を、同一の静止時間をもって、順番に表示される４画像からなる画像グリッドに関連して記述してきた。しかしながら、画像グリッドは４以外の数の異なる画像を、選択的に異なる静止時間をもって表示するようにアレンジすることが可能であると理解されるべきである。
【００５６】
本発明は、不透明と透明の少なくとも一方の細長片、すなわち、詳細な視覚情報を含まない細長片を有する画像グリッドも含む。このようなグリッドは、「ブラックアウト」及び透明な表示を創出するためにそれぞれ使用される。例えば、それらは、詳細な視覚情報、すなわち対象物の絵を提供する画像細長片とともに、あるいは単独で使用される。それらは、例えば、不透明な細長片によって形成された暗い表示から画像細長片によって形成された画像へ、画像細長片によって形成された画像から透明な細長片によって形成された透明な表示を通して見られる対象物へ、あるいは、不透明な細長片によって形成された暗い表示から、視覚情報を含む画像細長片によって形成された画像を経由して、透明な細長片によって形成された透明な表示の背後に見られる対象物へ、変えるために使用される。理解されるように、本発明による整列及び位置決め装置を使用して様々な効果を達成するために、画像細長片のその他の順列組み合わせを使用することが可能である。
【００５７】
次々と表示される画像の間の運転休止時間は、マスクグリッド９と画像グリッド１１との間の相対的な運動を生じるようにステッピングモータを駆動する前に、表示装置が待つ時間の長さを単に変更することによって簡単に変更できる。これらの期間は、例えば、フォトセル７３とそのパートナーが、ＬＥＤ７１とそのパートナーから、それぞれ最大値の半分の光強度を感知したときに始まる。しかしながら、例えば、窓スリット６１Ａ〜Ｄと不透明細長片６２Ａ〜Ｃの両方または一方のそれぞれの幅を変えることによって、グリッド自身を、グリッドの相対的な運動を制御するために使用することができる。このような変更は、一般に、図１に示すような窓スリット６１Ａ〜Ｄ、不透明細長片６２Ａ〜Ｃの幅を数倍することとなろう。
【００５８】
本発明によるグリッドは、所望の画像が表示されている間、画像グリッド上の他の画像を選択的に覆い隠すマスクグリッドの運動によって、画像グリッド上に異なる画像を生じる、さまざまな表示装置とともに使用することができるということが理解されるであろう。
【００５９】
本発明は、複数の画像を表示するためのグリッドが、関連するマスクグリッドと特に正確に位置決めされるを可能にし、それによって、マスクグリッドに幅が広い窓細長片を使用することを可能にし、その結果、同じ照明によってより明るい画像が実現されるという利点を有する。
【００６０】
例示された両グリッドの画像サイクル間における、画像グリッドとマスクグリッドとの間の相対的な運動は、画像細長片自身が２つ以上、例えば４つの画像細長片から構成される場合には、動画の出現をもたらすことを可能にする。このように、本発明の更に他の局面においては、、本発明による画像表示装置を使用して、１組の画像細長片と、次ぎの組の画像細長片との間に運転休止時間をとらないで両グリッドを互いに相対的に動かすことによって実行される動画を作る方法を提供する。
【００６１】
添付図面を参照して記述した両グリッドを、それぞれ１個の画像の細長片から形成された画像細長片６８Ｄと、それぞれ４個の異なる画像からの細長片からなる画像細長片６８Ａ〜Ｃとともに用い、マスクグリッド９を、画像Ｄが表示される、変位サイクルの中間点の下の最も低い位置から、再び画像Ｄが表示される、変位サイクルの中間点の上の最も高い位置への動かすと、画像細長片６８Ａ〜Ｃ上の１２の画像を急速に連続して示すことの結果として、動画効果を作り出すことができる。運転休止時間と方向の変化は、変位サイクルの最遠端においてのみとられる。
【００６２】
理解されるように、動画効果は、１つの画像が、動画の出現を引き起こす一連の急速に変化する画像を経て、もう１つの画像へ変換される間に、結果として達成される。
【図３】
2004508590.tif 000003
【国際公開パンフレット】
2004508590.tif 000004
2004508590.tif 000005
2004508590.tif 000006
2004508590.tif 000007
2004508590.tif 000008
2004508590.tif 000009
2004508590.tif 000010
2004508590.tif 000011
2004508590.tif 000012
2004508590.tif 000013
2004508590.tif 000014
2004508590.tif 000015
2004508590.tif 000016
2004508590.tif 000017
2004508590.tif 000018
2004508590.tif 000019
2004508590.tif 000020
2004508590.tif 000021
2004508590.tif 000022
2004508590.tif 000023
2004508590.tif 000024
2004508590.tif 000025
2004508590.tif 000026
2004508590.tif 000027
【国際公開パンフレット（コレクトバージョン）】
2004508590.tif 000028
2004508590.tif 000029
【国際調査報告】
2004508590.tif 000030
2004508590.tif 000031
2004508590.tif 000032